(57)【特許請求の範囲】
【請求項１】
背本体ブランクから組み立てられる背本体に１段または複数段のトレイを備えたハンガー陳列台において、前記背本体ブランクは、背裏重ね板、背側板、背表板、背側板、背裏板が、それぞれ縦折れ線を介して連接され、１本または複数本の横折れ線が、前記縦折れ線に直角に、縦長の背本体ブランクを略等分するように設けられ、使用前には、前記横折れ線で前記背本体ブランクの前記トレイを備えた面である表面を内側に折り畳まれた状態とし、使用する時には、折り畳まれた状態から平坦な状態に戻して、前記背側板、前記背裏板、前記背側板、前記背裏重ね板をそれぞれ前記縦折れ線で前記背本体ブランクの前記表面を外側にして曲げて前記背本体を四角柱状に組み立てるものであり、前記背本体ブランクの前記背裏板には、補強片が折り返し可能に設けられていることを特徴とするハンガー陳列台。
【請求項２】
前記背本体ブランクの前記背裏重ね板には、背差し込み片が設けられ、前記背裏板には、前記背差し込み片を差し込む背差し込み口が設けられ、前記背差し込み片をそれぞれ前記背裏板に設けられている前記背差し込み口に差し込むことによって、四角柱状の前記背本体を組み立てることを特徴とする請求項１に記載のハンガー陳列台。
【請求項３】
前記背本体ブランクの前記背表板には、前記トレイに設けたトレイ差し込み片を差し込むトレイ差し込み口が設けられ、該トレイ差し込み口に、前記トレイの前記トレイ差し込み片を差し込み前記背表板に固定していることを特徴とする請求項１又は２に記載のハンガー陳列台。
【発明の詳細な説明】
【技術分野】
【０００１】
本発明は、商品を店頭で陳列販売するための１段または複数段のトレイを有するハンガー陳列台に関し、詳しくは、組み立て前にコンパクトに折り畳むことが可能で、組み立て容易なハンガー陳列台に関するものである。
【背景技術】
【０００２】
従来より、商品を店頭にて陳列販売するためのハンガー陳列台が知られているが、従来のハンガー陳列台は、金属、プラスチックなどを用いて作られていたため分別廃棄が面倒であった。また、従来のハンガー陳列台は、複数の部分品から成っており、これらを組み立てる作業が煩雑であり、成形されたプラスチックのトレイが使用されている場合は、平坦に折り畳むことができないため、滞貨、運搬時に場所をとるなどの問題があった。
【０００３】
これらの問題を解消するために、特許文献１では、廃棄処理が容易であり、組立が容易であり、平坦に折り畳むことが可能な組立容易な陳列棚を提示している。
また、特許文献２では、棚枠を折り畳んで扁平化でき、店頭で迅速に組み立てることができるハンガー陳列台を提示している。
【先行技術文献】
【特許文献】
【０００４】
【特許文献１】特開平１１−２０６５２７号公報
【特許文献２】特開２００１−２１８６５８号公報
【発明の概要】
【発明が解決しようとする課題】
【０００５】
しかしながら、特許文献１では、組立が容易であり、平坦に折り畳むことが可能であるとしているものの、背面板を折り畳む形状ではないため、背面板が縦長の場合（通常この形状が多い）、小さくできないという問題があり、また、補強板の幅が狭くなり、背面板の補強を十分行うことができないという問題がある。
また、特許文献２では、棚枠を折り畳んで扁平化でき、店頭で迅速に組み立てることができるとしているものの、基材が縦長の場合（通常この形状が多い）、基材を折り畳む形状ではないため、縦長を短くできないという問題があり、また、基材が稜板、背表板、背裏板に加えて補強板を備えており材料の使用量が多くなるという問題がある。
【課題を解決するための手段】
【０００６】
本発明において上記課題を達成するために、まず請求項１の発明では、背本体ブランクから組み立てられる背本体に１段または複数段のトレイを備えたハンガー陳列台において、前記背本体ブランクは、背裏重ね板、背側板、背表板、背側板、背裏板が、それぞれ縦折れ線を介して連接され、１本または複数本の横折れ線が、前記縦折れ線に直角に、縦長の背本体ブランクを略等分するように設けられ、使用前には、前記横折れ線で前記背本体ブランクの前記トレイを備えた面である表面を内側に折り畳まれた状態とし、使用する時には、折り畳まれた状態から平坦な状態に戻して、前記背側板、前記背裏板、前記背側板、前記背裏重ね板をそれぞれ前記縦折れ線で前記背本体ブランクの前記表面を外側にして曲げて前記背本体を四角柱状に組み立てるものであり、前記背本体ブランクの前記背裏板には、補強片が折り返し可能に設けられていることを特徴とするハンガー陳列台としたものである。
【０００７】
また、請求項２の発明では、請求項１に記載のハンガー陳列台において、前記背本体ブランクの前記背裏重ね板には、背差し込み片が設けられ、前記背裏板には、前記背差し込み片を差し込む背差し込み口が設けられ、前記背差し込み片をそれぞれ前記背裏板に設けられている前記背差し込み口に差し込むことによって、四角柱状の前記背本体を組み立てることを特徴とするハンガー陳列台としたものである。
【０００８】
また、請求項３の発明では、請求項１又は２に記載のハンガー陳列台において、前記背本体ブランクの前記背表板には、前記トレイに設けたトレイ差し込み片を差し込むトレイ差し込み口が設けられ、該トレイ差し込み口に、前記トレイの前記トレイ差し込み片を差し込み前記背表板に固定していることを特徴とするハンガー陳列台としたものである。
【発明の効果】
【００１０】
以上のように、本発明のハンガー陳列台は、両背側板を有する扁平状の四角柱状に組み立てる構造であるため、背本体として保持する強度が高く、また、材料が主に紙より成るため、分別廃棄処理が容易であり、さらに、平坦にコンパクトに折り畳むことができるため、保管、運搬時に場所をとらないという効果を有している。
また、使用前では、背本体ブランクを折り畳む形状であり、特に、縦長の場合には、縦長を短くするように折り畳むため、保管、運搬時に場所をとらない点でより効果的である。また、背本体ブランクの背裏板に、補強片が折り返し可能に設けられていることにより、背表板の裏側に折り返して背本体を四角柱状に組み立てた時に、背本体の強度をさらに高いものにすることができるという効果を有している。
さらに、印刷が施された背本体ブランクの表面を内側にして折り畳むことによって、折り畳んだ状態では、背本体ブランクの裏面が外側になり外装の役目を果たし、梱包材を必要としなくなり、輸送効率、積層効率の向上に効果的である。
さらにまた、あらかじめ、背本体にトレイが装着されているため、店頭にて組み立てが容易であり、容易に商品を陳列するハンガー陳列台とすることができる。
【図面の簡単な説明】
【００１１】
【図１】本発明のハンガー陳列台を組み立てた状態を示す斜視図である。
【図２】本発明のハンガー陳列台を構成する背本体のブランクを示す展開図である。
【図３】本発明のハンガー陳列台を構成するトレイのブランクを示す展開図である。
【図４】本発明のハンガー陳列台を構成するトレイ仕切りのブランクを示す展開図である。
【図５】本発明のハンガー陳列台を折り畳む状態を示す斜視図である。
【発明を実施するための形態】
【００１２】
以下、本発明のハンガー陳列台の実施形態について、図面に基づいて説明する。
【００１３】
本実施形態のハンガー陳列台１は、一例を図１−ａ、ｂに示すように、背裏重ね板１１、背側板１２、背表板１３、背側板１４、背裏板１５からなる縦長の背本体１０、トレイ２０、トレイ仕切り３０、吊り紐４０から構成されている。背表板１３の表面には、印刷が施され、２個のトレイ２０が保持されているが、トレイ２０は１個または複数個とすることができる。また、背表板１３の上縁に設けられている吊り孔１３ｂには、吊り紐４０を装着して、本発明のハンガー陳列台１を吊り下げて使用することができる。
【００１４】
ハンガー陳列台１を構成する背本体１０は、一例を図２に示すように、背本体ブランク１０ａを組み立てることにより形成される。背本体ブランク１０ａは、背裏重ね板１１、背側板１２、背表板１３、背側板１４、背裏板１５が、それぞれ縦折れ線ａ、縦折れ線ｂ、縦折れ線ｃ、縦折れ線ｄを介して連接されている。背裏重ね板１１には、背差し込み片１１ａが折れ線ｅを介して設けられ、背裏板１５には、背差し込み片１１ａを差し込む背差し込み口１５ａが設けられ、この差し込む背差し込み口１５ａに背差し込み片１１ａを差し込むことにより、四角柱状の背本体１０を組み立てることができる。
また、背表板１３には、トレイ差し込み片２４ｂを差し込むトレイ差し込み口１３ａがトレイ２０を保持する位置に設けられている。このトレイ差し込み口１３ａは、トレイ２０の数に対応するように同数設けられる。また、背表板１３の上縁には、吊り紐４０を吊るすための吊り孔１３ｂ、１３ｂを設けられている。
さらに、背裏板１５には、補強片１６が折れ線ｆを介して設けられている。この補強片１６は、背裏板１５の裏側に折り返されて背本体１０が四角柱状に組み立てられるが、四角柱状に組み立てられた後、補強片１６反発力により、背本体１０の四角柱状の形状が潰されずに保持され、背本体１０の強度をさらに高いものにすることができる。
さらにまた、縦折れ線ａ、縦折れ線ｂ、縦折れ線ｃ、縦折れ線ｄに直角に横折れ線ｇ、横折れ線ｈが、縦長の背裏重ね板１１、背側板１２、背表板１３、背側板１４、背裏板１５を略三等分するように直線状に設けられている。この横折れ線ｇ、横折れ線ｈで背本体ブランク１０ａをコンパクトに三つ折りすることができるようにしている。このように、背本体ブランク１０ａを折り畳むことにより、嵩張らない状態で効率的に輸送・保管ができる。特に、背本体ブランク１０ａの形状が縦長である場合に効果的である。
なお、本例では、背本体ブランク１０ａを略３等分するように横折れ線を２本設けているが、背本体ブランクを略２等分して二つ折りするように横折れ線を１本設ける形状、背本体ブランクを略４等分して四つ折りするように横折れ線を３本設ける形状とすることができる。
【００１５】
ハンガー陳列台１を構成するトレイ２０は、一例を図３に示すようなトレイブランク２０ａを組み立てることにより形成される。このトレイブランク２０ａは、トレイ側板２１、トレイ前板２２、トレイ側板２３、トレイ後板２４、トレイ糊代片２５が連接され、各板の下辺には底板２１ａ、２２ａ、２３ａ、２４ａが連接され、トレイ後板２４の上辺にはトレイ差し込み片２４ｂを設けられている。
このトレイ２０の中には、一例を図４に示すようなトレイ仕切りブランク３０ａから組み立てられるトレイ仕切り３０を挿入して商品を分別することができる。
【００１６】
店頭への輸送、使用するまでの保管において、平坦に折り畳んだ状態にするには、まず、トレイブランク２０ａから底板２１ａ、２２ａ、２３ａ、２４ａを内側に折り曲げた後に、底板２１ａ、２２ａ、２３ａ、２４ａを貼り合せると同時にトレイ側板２１の裏面とトレイ糊代片２５を貼り合せて折り畳まれたトレイ２０を作成し、つぎに、図５−ａに示すように、その折り畳まれたトレイ２０のトレイ差し込み片２４ｂを、印刷を施している表面側から背表板１３のトレイ差し込み口１３ａに差し込んで、背表板１３の裏面で接着あるいはテープ止めで固定する。ついで、図５−ｂに示すように、補強片１６、背差し込み片１１ａ、１１ａを外側（表面側）に折り返し、最後に、横折れ線ｇ、横折れ線ｈで背本体ブランク１０ａの表面を内側にして三つ折に折り畳む。このようにして、図５−ｃに示すように、コンパクトに折り畳まれた状態のハンガー陳列台１となる。
【００１７】
この折り畳んだ状態のハンガー陳列台１を組み立てるには、まず、折り畳まれた状態から平坦な状態に戻す。つぎに、補強片１６を折れ線ｆで背裏板１５の裏側に折り返し、背側板１４を縦折れ線ｃで背表板１３の裏側に直角に折り曲げ、背裏板１５を縦折れ線ｄで背表板１３の裏側に直角に折り曲げ、背側板１２を縦折れ線ｂで背表板１３の裏側に直角に折り曲げ、背裏重ね板１１を縦折れ線ａで背表板１３の裏側に直角に折り曲げて、図１−ｂに示すように、背差し込み片１１ａをそれぞれ背裏板１５に設けられている背差し込み口１５ａに差し込むことによって、四角柱状の背本体１０が組み立てられる。つぎに、背表板１３に保持されて折り畳まれているトレイ２０の底部を組み立てながら起こし、さらに、トレイ仕切り３０を中に挿入することによって、図１−ａに示すようなハンガー陳列台１の組み立てが完了する。
【００１８】
また、ハンガー陳列台１の素材として、背本体１０、トレイ２０、トレイ仕切り３０には板紙、プラスチックシート、段ボール等を用いる。
【符号の説明】
【００１９】
１      ハンガー陳列台
１０    背本体
１０ａ  背本体ブランク
１１    背裏重ね板
１１ａ  背差し込み片
１２    背側板
１３    背表板
１３ａ  トレイ差し込み口
１３ｂ  吊り紐孔
１４    背側板
１５    背裏板
１５ａ  背差し込み口
１６    補強片
２０    トレイ
２１    トレイ側板
２２    トレイ前板
２３    トレイ側板
２４    トレイ後板
２４ｂ  トレイ差し込み片
３０    トレイ仕切り
４０    吊り紐
ａ〜ｄ  縦折れ線
ｅ、ｆ  折れ線
ｇ、ｈ  横折れ線
【図１】
0005482086.tif 000002
【図２】
0005482086.tif 000003
【図３】
0005482086.tif 000004
【図４】
0005482086.tif 000005
【図５】
0005482086.tif 000006